【手続補正書】
【提出日】平成23年2月4日(2011.2.4)
【手続補正１】
【補正対象書類名】特許請求の範囲
【補正対象項目名】全文
【補正方法】変更
【補正の内容】
【特許請求の範囲】
【請求項１】
窒素酸化物を吸着除去することができる窒素酸化物フィルタと、ベルト状に配置した前記窒素酸化物フィルタを移動させるためのローラーと、前記窒素酸化物フィルタを洗浄するための洗浄液とを有し、前記ローラーにより前記窒素酸化物フィルタを移動することにより、空気中に含まれる窒素酸化物を吸着除去する窒素酸化物除去工程と、窒素酸化物が吸着した前記窒素酸化物フィルタを前記洗浄液により洗浄する窒素酸化物フィルタ洗浄工程とを繰り返すことにより、窒素酸化物を含む空気から窒素酸化物を連続的に除去することができ、さらに、前記洗浄液が付着した前記窒素酸化物フィルタに窒素酸化物を含む空気を通過させることにより、窒素酸化物を含む空気を加湿して後方の窒素酸化物フィルタに送ることを特徴とする窒素酸化物除去装置。
【請求項２】
窒素酸化物を含む空気が、窒素酸化物フィルタを複数回通過するようにしたことを特徴とする請求項１に記載の窒素酸化物除去装置。
【請求項３】
窒素酸化物フィルタの洗浄液が塩基性液体、または、還元能を有する液体であることを特徴とする請求項１または２に記載の窒素酸化物除去装置。
【請求項４】
窒素酸化物フィルタが、活性炭繊維であることを特徴とする請求項１乃至３いずれかに記載の窒素酸化物除去装置。
【請求項５】
空気中に含まれる窒素酸化物を酸化するための窒素酸化物酸化装置を有することを特徴とする請求項１乃至４いずれかに記載の窒素酸化物除去装置。
【請求項６】
洗浄液が付着した窒素酸化物フィルタに窒素酸化物を含む空気を通過させることにより、前記窒素酸化物フィルタから発生した液滴を除去するための液滴除去装置を有することを特徴とする請求項１乃至５いずれかに記載の窒素酸化物除去装置。
【手続補正２】
【補正対象書類名】明細書
【補正対象項目名】発明の名称
【補正方法】変更
【補正の内容】
【発明の名称】窒素酸化物除去装置
【手続補正３】
【補正対象書類名】明細書
【補正対象項目名】０００１
【補正方法】変更
【補正の内容】
【０００１】
本発明は、窒素酸化物を含む空気から窒素酸化物を除去するための窒素酸化物除去装置に関する。
【手続補正４】
【補正対象書類名】明細書
【補正対象項目名】０００６
【補正方法】変更
【補正の内容】
【０００６】
本発明は、このような従来の課題を解決するものであり、窒素酸化物除去工程と洗浄工程とを連続的に繰り返し行うことができるので、装置を停止する必要があるのは洗浄液を交換するときやメンテナンスを行うときのみとなり、装置を停止しなくてはならない時間を短縮できる、または、装置を停止しなくてはならない間隔を延ばすことができる窒素酸化物除去装置を提供する、かつ、加湿装置を用いることなく窒素酸化物を含む空気を加湿することができる窒素酸化物除去装置を提供することを目的としている。
【手続補正５】
【補正対象書類名】明細書
【補正対象項目名】０００７
【補正方法】変更
【補正の内容】
【０００７】
窒素酸化物を吸着除去することができる窒素酸化物フィルタと、ベルト状に配置した前記窒素酸化物フィルタを移動させるためのローラーと、前記窒素酸化物フィルタを洗浄するための洗浄液とを有し、前記窒素酸化物フィルタがベルトコンベアのベルトのように移動することにより、空気中に含まれる窒素酸化物を吸着除去する窒素酸化物除去工程と、窒素酸化物が吸着した前記窒素酸化物フィルタを前記洗浄液により洗浄する窒素酸化物フィルタ洗浄工程とを繰り返すことにより、窒素酸化物を含む空気から窒素酸化物を連続的に除去することができ、さらに、前記洗浄液が付着した前記窒素酸化物フィルタに窒素酸化物を含む空気を通過させることにより、窒素酸化物を含む空気を加湿して後方の窒素酸化物フィルタに送ることを特徴とする窒素酸化物除去装置である。
【手続補正６】
【補正対象書類名】明細書
【補正対象項目名】０００８
【補正方法】変更
【補正の内容】
【０００８】
これにより、窒素酸化物除去工程と洗浄工程とを連続的に繰り返し行うことができるので、装置を停止する必要があるのは洗浄液を交換するときやメンテナンスを行うときのみとなり、装置を停止しなくてはならない時間を短縮できる、または、装置を停止しなくてはならない間隔を延ばすことができる窒素酸化物除去装置を提供することができる。
【手続補正７】
【補正対象書類名】明細書
【補正対象項目名】０００９
【補正方法】変更
【補正の内容】
【０００９】
また、加湿装置を用いることなく窒素酸化物を含む空気を加湿することができる窒素酸化物除去装置を提供することができる。
【手続補正８】
【補正対象書類名】明細書
【補正対象項目名】００１０
【補正方法】変更
【補正の内容】
【００１０】
本発明によれば、窒素酸化物除去工程と洗浄工程とを連続的に繰り返し行うことができるので、装置を停止する必要があるのは洗浄液を交換するときやメンテナンスを行うときのみとなり、装置を停止しなくてはならない時間を短縮できる、または、装置を停止しなくてはならない間隔を延ばすことができる窒素酸化物除去装置を提供することができる。
【手続補正９】
【補正対象書類名】明細書
【補正対象項目名】００１１
【補正方法】変更
【補正の内容】
【００１１】
また、本発明によれば、加湿装置を用いることなく窒素酸化物を含む空気を加湿することができる窒素酸化物除去装置を提供することができる。
【手続補正１０】
【補正対象書類名】明細書
【補正対象項目名】００４２
【補正方法】削除
【補正の内容】
【手続補正１１】
【補正対象書類名】明細書
【補正対象項目名】００４３
【補正方法】削除
【補正の内容】
【手続補正１２】
【補正対象書類名】明細書
【補正対象項目名】００４４
【補正方法】削除
【補正の内容】
【手続補正１３】
【補正対象書類名】明細書
【補正対象項目名】００４５
【補正方法】削除
【補正の内容】
【手続補正１４】
【補正対象書類名】明細書
【補正対象項目名】００４６
【補正方法】削除
【補正の内容】
【手続補正１５】
【補正対象書類名】明細書
【補正対象項目名】００４７
【補正方法】削除
【補正の内容】
【手続補正１６】
【補正対象書類名】明細書
【補正対象項目名】００４８
【補正方法】削除
【補正の内容】
【手続補正１７】
【補正対象書類名】明細書
【補正対象項目名】００４９
【補正方法】削除
【補正の内容】
【手続補正１８】
【補正対象書類名】明細書
【補正対象項目名】００５０
【補正方法】削除
【補正の内容】
【手続補正１９】
【補正対象書類名】明細書
【補正対象項目名】００５１
【補正方法】削除
【補正の内容】
【手続補正２０】
【補正対象書類名】明細書
【補正対象項目名】００５２
【補正方法】削除
【補正の内容】
【手続補正２１】
【補正対象書類名】明細書
【補正対象項目名】００５３
【補正方法】削除
【補正の内容】
【手続補正２２】
【補正対象書類名】明細書
【補正対象項目名】００５４
【補正方法】削除
【補正の内容】
【手続補正２３】
【補正対象書類名】明細書
【補正対象項目名】００５５
【補正方法】削除
【補正の内容】
【手続補正２４】
【補正対象書類名】明細書
【補正対象項目名】００５６
【補正方法】削除
【補正の内容】
【手続補正２５】
【補正対象書類名】明細書
【補正対象項目名】００５７
【補正方法】削除
【補正の内容】
【手続補正２６】
【補正対象書類名】明細書
【補正対象項目名】００５８
【補正方法】削除
【補正の内容】
【手続補正２７】
【補正対象書類名】明細書
【補正対象項目名】００５９
【補正方法】削除
【補正の内容】
【手続補正２８】
【補正対象書類名】明細書
【補正対象項目名】００６０
【補正方法】削除
【補正の内容】
【手続補正２９】
【補正対象書類名】明細書
【補正対象項目名】００６１
【補正方法】削除
【補正の内容】
【手続補正３０】
【補正対象書類名】明細書
【補正対象項目名】００６２
【補正方法】削除
【補正の内容】
【手続補正３１】
【補正対象書類名】明細書
【補正対象項目名】００６３
【補正方法】削除
【補正の内容】